(57)【要約】【課題】本発明の目的は、回転電機において、回転子のバランスを調整する技術を従来よりも改善するものである。【解決手段】回転子のコア−の両方側にファンリングを設け、このファンリングに冷却用の冷却ハネを取り付け、また、このファンリングにバランス調整用の穴を設ける。この穴を用いて、バランス調整用の重りであるバランスウエイトを設けるようにして、回転子の重量バランスを調整するようにする。また、前記冷却ハネは、前記ファンリングへの取付け位置をずらして調整可能とするステー部材を介して前記ファンリングに支持されるようにする。【選択図】図３
2007330061.tif 000002
【特許請求の範囲】
【請求項１】
固定子鉄心と、当該固定子鉄心に巻かれた固定子コイルとを有する固定子と、
前記固定子を支持するハウジングと、
前記ハウジングの長手方向の両端に設けたエンドブラケットと、
前記エンドブラケットに設けた軸受けと、
前記軸受けにて回転自在に支持される回転軸と、
前記回転軸を中心にして回転する回転子と、
を有する回転電機において、
前記回転子の前記回転軸方向の両端にファンリングを設け、
当該ファンリングに冷却用の冷却ハネを取り付け、
また、前記ファンリングにバランス調整用の穴を設けたことを特徴とする回転電機。
【請求項２】
請求項１記載の回転電機において、
前記バランス調整用の穴は、前記ファンリングの外周側近傍とすることを特徴とする回転電機。
【請求項３】
請求項１記載の回転電機において、
前記冷却ハネの径方向の支持位置を調整可能とする調整部材にて冷却ハネが支持されるようにし、当該調整部材を前記ファンリングに支持させることを特徴とする回転電機。
【請求項４】
請求項３記載の回転電機において、
前記調整部材を前記ファンリングに支持させる位置は、前記バランス調整用の穴の位置よりも内周側とすることを特徴とする回転電機。
【発明の詳細な説明】
【技術分野】
【０００１】
本発明は、回転電機を提供する技術に関する。
【背景技術】
【０００２】
回転電機において、回転子のバランスを調整するものとして、特許文献１に開示されたものがある。
【０００３】
【特許文献１】特開平6-133481号公報
【発明の開示】
【発明が解決しようとする課題】
【０００４】
図１は従来技術による回転電機の断面図を示すものである。図２はそのロータ部の構成図を示す。
ハウジング４の内周壁に固定子１が取り付けられ、この固定子１はけい素鋼板などの磁性材料からなる薄板を縦方向に所定枚数積層されることによって形成された固定子鉄心１ａと、内周部に多数個設けられているスロットに巻かれた固定子コイル１ｂとで構成される。
回転子２はシャフト９を有し、このシャフト９がエンドブラケット６ａ、６ｂの軸受３により回転自在に保持されることにより、固定子１の内周部に位置したところで回転するように構成されている。
【０００５】
この回転子２には、図示していない二次導体バーと短絡環２ｂが設けられており、更にこの短絡環２ｂと一体に内部冷却扇（以下、内ファン７と称す）が形成されている。
【０００６】
この内ファン７は、短絡環２ｂの両端面から軸方向に突設された複数のハネ７ａからなり、電動機内部での空気の循環を図り、冷却作用が得られるようにしている。すなわち、内ファン７により起こされた空気流は回転子２、短絡環２ｂ、固定子１を冷却しながら通過した後、ハウジング４に比べて温度上昇の低いブラケット６ａ、６ｂの内面に沿って通過するときに放熱する。
【０００７】
上記従来技術では、図２に示すようにバランス調整の為には導体にアルミニウムを用いた回転子２の短絡環２ｂに一体とした突起２ｃを設け、バランスウェイト２ｂをかしめて取り付けることが一般的である。導体がアルミ合金等の脆性材料の場合は突起２ｃを設けられない場合がある。この場合、回転子２の両端に図示しないがバランスリングを取付ける場合や、回転子２の鉄心にバランスを取る為の穴をあけ、この穴を使用してバランスウエイト５を取付け、バランスを調整することがある。
【０００８】
ところで、上述の回転子鉄心２ａにバランス調整用の穴をあける場合に、例えば、回転子２自体の重量が大きくなると、取り回し作業性悪くなる等で問題となることがある。
【０００９】
また、コア磁力線の磁路に穴をあけることになり、特性の影響を考慮する必要のある場合もある。
【００１０】
従って、これらの回転子２でのバランス調整を従来よりも、改善することを課題とする。
【課題を解決するための手段】
【００１１】
上記課題を解決する為に、以下のような手段をとるものとする。
【００１２】
回転子２のコアの両方側にファンリング８を設け、このファンリング８に冷却用の冷却ハネ（内ファンハネ７ａ）を取り付け、また、このファンリング８にバランス調整用の穴を設ける。この穴を用いて、バランス調整用の重りであるバランスウエイト５を設けるようにして、回転子２の重量バランスを調整するようにする。
【００１３】
または、固定子鉄心と、当該固定子鉄心に巻かれた固定子コイルとを有する固定子と、前記固定子を支持するハウジングと、前記ハウジングの長手方向の両端に設けたエンドブラケットと、前記エンドブラケットに設けた軸受けと、前記軸受けにて回転自在に支持される回転軸と、前記回転軸を中心にして回転する回転子とを有する回転電機において、前記回転子の前記回転軸方向の両端にファンリングを設け、当該ファンリングに冷却用の冷却ハネを取り付け、また、前記ファンリングにバランス調整用の穴を設けるようにする。
【００１４】
また、前記バランス調整用の穴は、前記ファンリングの外周側近傍とする。
【００１５】
また、前記冷却ハネの径方向の取付、支持させる位置を調整可能とする調整部材にて冷却ハネが支持されるようにし、当該調整部材を前記ファンリングに支持させるようにする。
【００１６】
また、前記調整部材を前記ファンリングに支持させる位置は、前記バランス調整用の穴の位置よりも内周側とする。
【発明の効果】
【００１７】
本発明によれば、従来よりも、信頼性を向上させた回転電機の提供が可能となる。
【発明を実施するための最良の形態】
【００１８】
以下、本発明の実施例を図３〜図５を用いて詳細に説明する。各図中において、共通する符号は同一物を示す。
【００１９】
図３は本発明による実施例として、回転電機の断面図を示すものである。図４はその回転子部の構成図を示す。
【００２０】
回転子２両端の近傍のシャフト９に内ファン７を取り付けるための図５に示すファンリング８を設け、これに内ファン７をねじ止めなどにより固着する構成とする。
ファンリング８には内ファン７を固着するためのネジ穴と、バランスウェイト５を取り付けるためのネジ穴を設け、ボルトにて締結する。
【００２１】
また更にバランス調整用のバランスウェイト５をファンリング８に取り付けられるようネジ穴を設ける。ネジ穴の位置はファンリング８外周近傍とすることで取付けるバランスウェイト５の量を低減でき、バランス調整が容易となる。
【００２２】
内ファン７は、回転子２両端近傍に位置することが望ましく、発生する空気流が直接固定子コイル１ｂに当たる所の位置とする。
【００２３】
より効果的な冷却のためには内ファン７の空気流速を速くすることが効果的であり、できるだけ内ファン７外径を大きくする必要がある。またバランス調整をするバランスウェイト５の位置もできるだけ外周側に位置することが望ましい。内ファン７の径方向位置とバランスウェイト５の径方向位置の双方を両立するために内ファン７にはステー７ｂを設けて、内ファン７を軸方向にずらして、調整して配置出来るようにする。
【００２４】
ファンリング８とステー７ｂの固着位置は、バランスウェイト５を取付ける空間を確保しながら、冷却に必要な空気流量を確保するようにファンリング８の内周側に設ける。
上述のように、本発明の実施例によれば、回転子導体材料が脆性材料など、回転子２の短絡環２ａにバランス調整用の突起が施せない場合、回転電機の冷却性能をさげることなく、バランス作業の良さを提供できるものとなる。
【図面の簡単な説明】
【００２５】
【図１】従来技術による電動機の内部構成図
【図２】従来技術による電動機ロータ部構成図
【図３】本発明の実施例に係わる電動機内部構成図
【図４】本発明の実施例に係わる電動機ロータ部構成図
【図５】本発明の実施例に係わるファンリング部構成図
【符号の説明】
【００２６】
１…固定子、１ａ…固定子鉄心、１ｂ…固定子コイル、
２…回転子、２ａ…回転子鉄心、２ｂ…短絡環、２ｃ…バランスウェイト取付け用突起、
３…軸受、４…ハウジング、５…バランスウェイト、
６ａ…反外扇側エンドブラケット、6ｂ…外扇側エンドブラケット、
７…内ファン、７ａ…内ファンハネ、７ｂ…内ファンステー、
８…ファンリング、８ａ…バランスウェイト取付ネジ穴、８ｂ…内ファン取付ネジ穴、
９…シャフト、１０…外ファン、１１…エンドカバー、
１２…エンドブラケット、ハウジング締結ボルト
【図１】
2007330061.tif 000003
【図２】
2007330061.tif 000004
【図３】
2007330061.tif 000005
【図４】
2007330061.tif 000006
【図５】
2007330061.tif 000007